(57)【要約】【課題】ソケット座を使用状況に応じて回転させることができるスイッチ付きテーブルタップを提供する。【解決手段】上、下カバー（１００）（１０１）からなるコンセント本体（１０）を有し、コンセント本体（１０）の一側に複数の収容凹部（１０２）が形成されると共に、他側に複数のスイッチ（２０）が設けられ、該収容凹部（１０２）の両側に取付凹部（１０３）が形成され、収容凹部（１０２）内に表面に挿入口（３１）が形成されると共に、内部に挟持プレート（３２）が設けられ、両側に回転リング（３３）が設けられるソケット座（３０）が回転自在に設けられ、更に、コンセント本体（１０）の内部にスイッチ（２０）と挟持プレート（３２）とを接続する金属プレート（４０）が設けられると共に、コンセント本体（１０）の一端に金属プレート（４０）と連接する一端にプラグ（５１）を有する延長ワイヤ（５０）が設けられ、金属プレート（４０）が金属ワイヤ（５２）によって挟持プレート（３２）と接続されることを特徴とする。【選択図】　図１
0003096976.tif 000002
【実用新案登録請求の範囲】
【請求項１】
上、下カバー（１００）（１０１）からなるコンセント本体（１０）を有し、コンセント本体（１０）の一側に複数の収容凹部（１０２）が形成されると共に、他側に複数のスイッチ（２０）が設けられ、該収容凹部（１０２）の両側に取付凹部（１０３）が形成され、収容凹部（１０２）内に表面に挿入口（３１）が形成されると共に、内部に挟持プレート（３２）が設けられ、両側に回転リング（３３）が設けられるソケット座（３０）が回転自在に設けられ、更に、コンセント本体（１０）の内部にスイッチ（２０）と挟持プレート（３２）とを接続する金属プレート（４０）が設けられると共に、コンセント本体（１０）の一端に金属プレート（４０）と連接する一端にプラグ（５１）を有する延長ワイヤ（５０）が設けられ、金属プレート（４０）が金属ワイヤ（５２）によって挟持プレート（３２）と接続されることを特徴とするスイッチ付きテーブルタップ。
【請求項２】
前記ソケット座（３０）の一側にソケット座（３０）における挿入口（３１）をカバーするための防塵カバー（６０）が設けられ、その防塵カバー（６０）にソケット座（３０）の挿入口（３１）に挿入される係合ブロック（６１）が設けられることを特徴とする請求項１に記載のスイッチ付きテーブルタップ。
【考案の詳細な説明】
【０００１】
【考案の属する技術分野】
本考案は、特にソケット座を使用状況に応じて回転させることができるスイッチ付きテーブルタップに関するものである。
【０００２】
【従来の技術】
従来のスイッチ付きテーブルタップは部屋などの壁に設けられるコンセントの数を増やすために用いるものであり、このようなスイッチ付きテーブルタップは、コンセント本体と、該コンセント本体の内部に設けられる金属プレートと、該金属プレートと電気接続するための一端にプラグを有する延長ワイヤとを備え、コンセント本体の表面に金属プレートの挟持プレートと対応する複数の挿入口が形成されるものであり、例えば、電気製品などのプラグを挿入口に挿入すると、プラグが挟持プレートと電気接続され、電気製品に電力が供給される。
【０００３】
【考案が解決しようとする課題】
しかしながら、電気製品の使用場所によっては、プラグの挿入方向が異なることがあるが、従来のスイッチ付きテーブルタップの挿入口はこのような異なる設置方向からのプラグの挿入に対応して調整することができないため、使用上非常に不便である。更に、従来のスイッチ付きテーブルタップの挿入口へ塵や埃などの異物の侵入を防止できないため、長時間使用すると、異物が挿入口から侵入して金属プレートに付着し、接触不良を起こす恐れがある。
【０００４】
そこで、案出されたのが本考案であって、ソケット座を使用状況に応じて回転させることができるスイッチ付きテーブルタップを提供することを目的としている。
【０００５】
【課題を解決するための手段】
本願の請求項１の考案は、上、下カバー（１００）（１０１）からなるコンセント本体（１０）を有し、コンセント本体（１０）の一側に複数の収容凹部（１０２）が形成されると共に、他側に複数のスイッチ（２０）が設けられ、該収容凹部（１０２）の両側に取付凹部（１０３）が形成され、収容凹部（１０２）内に表面に挿入口（３１）が形成されると共に、内部に挟持プレート（３２）が設けられ、両側に回転リング（３３）が設けられるソケット座（３０）が回転自在に設けられ、更に、コンセント本体（１０）の内部にスイッチ（２０）と挟持プレート（３２）とを接続する金属プレート（４０）が設けられると共に、コンセント本体（１０）の一端に金属プレート（４０）と連接する一端にプラグ（５１）を有する延長ワイヤ（５０）が設けられ、金属プレート（４０）が金属ワイヤ（５２）によって挟持プレート（３２）と接続されることを特徴とするスイッチ付きテーブルタップ及び、
本願の請求項２の考案は、前記ソケット座（３０）の一側にソケット座（３０）における挿入口（３１）をカバーするための防塵カバー（６０）が設けられ、その防塵カバー（６０）にソケット座（３０）の挿入口（３１）に挿入される係合ブロック（６１）が設けられることを特徴とする請求項１に記載のスイッチ付きテーブルタップ、
を提供する。
【０００６】
【作用】
本考案は上記の課題を解決するものであり、コンセント本体に取付凹部が形成されると共に、その取付凹部に回転自在にソケット座が設置されることにより、ソケット座を電気製品のプラグの挿入方向に対して適当に調整できるので、使用上非常に便利である。更に、ソケット座に設置する防塵カバーが設けられることにより、塵や埃などの異物が挿入口を通じてソケット座の内部に侵入することを防止できるので、接触不良の問題を防ぐことができる。
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係わるスイッチ付きテーブルタップの斜視図であり、図２は本考案に係わるスイッチ付きテーブルタップの分解斜視図であり、図３は本考案に係わるスイッチ付きテーブルタップの断面図であり、図４は本考案に係わるスイッチ付きテーブルタップの使用する状態を示す斜視図である。
【０００９】
【考案の実施の形態】
図１乃至図３に示すように、本考案に係わるスイッチ付きテーブルタップ（１）は、上、下カバー（１００）（１０１）からなるコンセント本体（１０）を有し、コンセント本体（１０）の一側に複数の収容凹部（１０２）が形成されると共に、他側に複数のスイッチ（２０）が設けられ、該収容凹部（１０２）の両側に取付凹部（１０３）が形成され、収容凹部（１０２）内に表面に挿入口（３１）が形成されると共に、内部に挟持プレート（３２）が設けられ、両側に回転リング（３３）が設けられるソケット座（３０）が回転自在に設けられ、更に、コンセント本体（１０）の内部にスイッチ（２０）と挟持プレート（３２）とを接続する金属プレート（４０）が設けられると共に、コンセント本体（１０）の一端に金属プレート（４０）と連接する一端にプラグ（５１）を有する延長ワイヤ（５０）が設けられる。
【００１０】
又、前記金属プレート（４０）は金属ワイヤ（５２）によって挟持プレート（３２）と接続される。尚、ソケット座（３０）の一側には該ソケット座（３０）における挿入口（３１）をカバーするための防塵カバー（６０）が設けられ、これにより、塵や埃などの異物が挿入口（３１）を通じてソケット座（３０）の内部に侵入することを防止できるので、接触不良の問題を防ぐことが達成できる。更に、防塵カバー（６０）にはソケット座（３０）の挿入口（３１）に挿入できる係合ブロック（６１）が設けられる。
【００１１】
図３及び図４に示すように、前記ソケット座（３０）は収容凹部（１０２）の内部方向に回転することができるので、電気製品のプラグ（７０）の挿入方向に応じて適当に調整することができ、又、使用しないソケット座（３０）の挿入口（３１）は防塵カバー（６０）によってカバーできることから、塵や埃などの異物が挿入口（３１）を通じてソケット座（３０）の内部に侵入することを防止できるので、接触不良の問題を防ぐことができる。
【００１２】
又、前記金属プレート（４０）とスイッチ（２０）との接続方法は従来と同一であるため、説明を省略する。なお、金属プレート（４０）と金属ワイヤ（５２）は溶接又は螺設手段によって連結することができる。
【００１３】
更に、本実施例のソケット座（３０）は、９０度の範囲で回転させることができるが、収容凹部（１０２）の形状を適当に変化させることにより、１８０度の範囲で回転させることもできる。
【００１４】
本考案に係わるスイッチ付きテーブルタップ（１）によれば、ソケット座（３０）を電気製品のプラグ（７０）の挿入方向に応じて適当に調整することができるので、使用上非常に便利である。又、防塵カバー（６０）により、塵や埃などの異物が挿入口（３１）を通じてソケット座（３０）の内部に侵入することを防止できるので、接触不良の問題を防ぐことができる。
【００１５】
【考案の効果】
本考案は上記の構成を有するので、コンセント本体に取付凹部が設けられると共に、取付凹部の内部に回転自在にソケット座が設置されることにより、ソケット座を電気製品のプラグの挿入方向に応じて適当に調整することができるので、使用上非常に便利であり、又、ソケット座に設置される防塵カバーにより、塵や埃などの異物が挿入口を通じてソケット座の内部に侵入することを防止できるので、接触不良の問題を防ぐことができる。
【図面の簡単な説明】
【図１】本考案に係わるスイッチ付きテーブルタップの斜視図である。
【図２】本考案に係わるスイッチ付きテーブルタップの分解斜視図である。
【図３】本考案に係わるスイッチ付きテーブルタップの断面図である。
【図４】本考案に係わるスイッチ付きテーブルタップの使用する状態を示す斜視図である。
【符号の説明】
１…スイッチ付きテーブルタップ
１０…コンセント本体
１００…上カバー
１０１…下カバー
１０２…収容凹部
１０３…取付凹部
２０…スイッチ
３０…ソケット座
３１…挿入口
３２…挟持プレート
３３…回転リング
４０…金属プレート
５０…延長ワイヤ
５１…プラグ
５２…金属ワイヤ
６０…防塵カバー
６１…係合ブロック
７０…プラグ
【図１】
0003096976.tif 000003
【図２】
0003096976.tif 000004
【図３】
0003096976.tif 000005
【図４】
0003096976.tif 000006